(57)【要約】【課題】載置台本体の幅方向両側に仕切部材を設けなくとも商品を常に載置台本体の長手方向に移動させることできる商品載置台を提供する。【解決手段】軸方向一端側から他端側に向かって下り傾斜をなすように載置台本体２０に支持されたローラ３０と、軸方向他端側から一端側に向かって下り傾斜をなすように載置台本体２０に支持されたローラ３０とを前後方向に交互に配置したので、各商品載置台１０上に載置された商品Ａを商品載置台１０の幅方向中央側に保持して前方に移動させることができ、各商品載置台１０間に仕切部材を設ける必要がなく商品Ａの補充作業を容易に行うことができる。また、別途仕切部材を設ける必要がないので、部品点数を減らすことができ、製造コストの低減を図ることができる。【選択図】図１３
2005270419.tif 000002
【特許請求の範囲】
【請求項１】
所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、
軸方向一端側から他端側に向かって下り傾斜をなすように載置台本体に支持されたローラと、軸方向他端側から一端側に向かってへ下り傾斜をなすように載置台本体に支持されたローラとを載置台本体の長手方向に交互に配置した
ことを特徴とする商品載置台。
【請求項２】
所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、
軸方向一端側から他端側へ向かって外径が小さくなるように形成されたローラと、軸方向他端側から一端側へ向かって外径が小さくなるように形成されたローラとを載置台本体の長手方向に交互に配置した
ことを特徴とする商品載置台。
【請求項３】
所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、
前記各ローラを軸方向両端側から中央部へ向かって外径が小さくなるように形成した
ことを特徴とする商品載置台。
【請求項４】
所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、
前記各ローラの軸方向両端側に径方向に突出する突出部を周方向に亘って設けた
ことを特徴とする商品載置台。
【請求項５】
前記載置台本体を長手方向一端側に向かって下り傾斜をなすように配置し、
商品の自重によって商品を載置台本体の長手方向一端側に向かって移動させるようにした
ことを特徴とする請求項１、２、３または４記載の商品載置台。
【請求項６】
前記載置台本体を略水平面上に配置し、
商品を押出部材によって載置台本体の長手方向他端側から押圧することにより商品を載置台本体の長手方向一端側に向かって移動させるようにした
ことを特徴とする請求項１、２、３または４記載の商品載置台。
【発明の詳細な説明】
【技術分野】
【０００１】
本発明は、ショーケースの商品陳列棚または自動販売機の商品収納棚等に載置された商品を搬送方向に移動させる商品載置台に関するものである。
【背景技術】
【０００２】
従来、この種の商品載置台としては、所定方向に長い載置台本体と、載置台本体の幅方向両端側に軸方向両端側を回動自在に支持され、互いに載置台本体の長手方向に配置された複数のローラとを備え、載置台本体を長手方向一端側に向かって前下りに傾斜させることにより、ローラ上に載置された商品を載置台本体の長手方向一端側に移動させるようにしたものが知られている。また、所定方向に長い載置台本体と、載置台本体の幅方向両端側を回動自在に支持され、互いに載置台本体の長手方向に配置された複数のローラとを備え、ローラ上に載置された商品を押出部材によって載置台本体の長手方向他端側から一端側に押出すようにしたものが知られている（例えば、特許文献１参照）。
【０００３】
また、前記商品載置台を備えたショーケースとしては、互いに幅方向に配置された複数の商品載置台を棚板上に設けるとともに、各商品載置台間を仕切部材によって幅方向に仕切ることにより商品列を形成し、商品が異なる商品列に侵入したり、或いは隣り合う商品列の商品と接触するといった不具合を防止するようにしたものが知られている（例えば、特許文献２参照）。
【特許文献１】特開平９−１３８８８５号公報
【特許文献２】特許第３１２６９４７号公報
【発明の開示】
【発明が解決しようとする課題】
【０００４】
しかしながら、各商品載置台間に仕切部材を設けた場合には、商品をショーケース内に補充する際に仕切部材に手が接触し、商品の補充作業が妨げられるという問題点があった。また、仕切部材が別部品となるため、部品点数が多くなり、製造コストが高くなるという問題点があった。
【０００５】
本発明は前記問題点に鑑みてなされたものであり、その目的とするところは、載置台本体の幅方向両側に仕切部材を設けなくとも商品を常に載置台本体の長手方向に移動させることできる商品載置台を提供することにある。
【課題を解決するための手段】
【０００６】
本発明は前記目的を達成するために、所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、軸方向一端側から他端側に向かって下り傾斜をなすように載置台本体に支持されたローラと、軸方向他端側から一端側に向かってへ下るように載置台本体に支持されたローラとを載置台本体の長手方向に交互に配置している。
【０００７】
また、本発明では、所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、軸方向一端側から他端側へ向かって外径が小さくなるように形成されたローラと、軸方向他端側から一端側へ向かって外径が小さくなるように形成されたローラとを載置台本体の長手方向に交互に配置している。
【０００８】
また、本発明では、所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、前記各ローラを軸方向両端側から中央部へ向かって外径が小さくなるように形成している。
【０００９】
これにより、商品載置台上の商品が幅方向中央側に保持されることから、商品載置台上に載置された商品が各商品載置台間に仕切部材を設けることなく載置台本体の長手方向に移動させることが可能となる。
【００１０】
また、本発明では、所定方向に長い載置台本体と、載置台本体の幅方向両端側に軸方向両端側を回動自在に支持され、互いに載置台本体の長手方向に配置された複数のローラとを備え、ローラ上に載置された商品を載置台本体の長手方向一端側に移動させるようにした商品載置台において、前記各ローラの軸方向両端側に径方向に突出する突出部を周方向に亘って設けている。
【００１１】
これにより、商品載置台上の商品の幅方向の移動がローラの軸方向両端側に設けられた突出部によって規制されることから、商品載置台上に載置された商品が各商品載置台間に仕切部材を設けることなく載置台本体の長手方向に移動させることが可能となる。
【発明の効果】
【００１２】
本発明によれば、各商品載置台上に載置された商品を商品載置台の幅方向中央側に保持して載置台本体の長手方向に移動させることができるので、各商品載置台間に仕切部材を設ける必要がなく商品の補充作業を容易に行うことができる。また、別途仕切部材を設ける必要がなく部品点数を減らすことができるので、製造コストの低減を図ることができる。
【発明を実施するための最良の形態】
【００１３】
図１乃至図１４は本発明の一実施形態を示すもので、図１は商品載置台を備えたショーケースの斜視図、図２はその側面断面図、図３は商品載置台の斜視図、図４はその分解斜視図、図５はその要部分解斜視図、図６はその正面断面図、図７はその平面図、図８は商品載置台が配置された棚板の分解斜視図、図９乃至図１２は商品の動作を示す側面断面図、図１３は商品が載置された状態を示す商品載置台の正面断面図、図１４は商品が載置された状態を示す商品載置台の平面図である。
【００１４】
この商品載置台を備えたショーケースは、前面及び背面を開口したショーケース本体１と、ショーケース本体１の前面上部の開口部を開閉する上部販売用扉２ａと、前面下部の開口部を開閉する下部販売用扉２ｂと、背面上部の開口部を開閉する上部補充用扉２ｃと、背面下部の開口部を開閉する下部補充用扉２ｄとを備えている。
【００１５】
ショーケース本体１内は、仕切板３によって上部貯蔵室４と下部貯蔵室５に仕切られ、各貯蔵室４，５内には商品陳列用の複数の棚板６が上下方向に設けられている。このとき、各棚板６は、上面が前下りになるように各貯蔵室４，５内に支持され、棚板６の前面側には商品Ａの脱落を防止する脱落防止部材６ａが設けられている。下部貯蔵室５の下部には図示しない冷却装置を備え、冷気を上部貯蔵室４内及び下部貯蔵室５内に循環させることにより、各貯蔵室内４，５を冷却するようになっている。また、上部貯蔵室４は冷却または加熱の切換が可能に設けられ、上部貯蔵室４内を加熱する場合には図示しない電気ヒータによって上部貯蔵室４内を加熱するようになっている。
【００１６】
上部販売用扉２ａ、下部販売用扉２ｂ、上部補充用扉２ｃ及び下部補充用扉２ｄはそれぞれ幅方向に移動自在な左右一対の扉板を互い違いに設けることによりショーケース本体１の開口部を開閉するようになっている。また、各扉板は外縁部を除いてガラス板等の透明板によって形成され、外部から各扉板を通してショーケース本体１内が視認可能に設けられている。
【００１７】
前記ショーケースに用いる商品載置台１０は、棚板６の上面に載置される載置台本体２０と、載置台本体２０の幅方向両端に軸方向の両端が回動自在に支持された複数のローラ３０とから構成されている。
【００１８】
載置台本体２０は、前後方向に延びるように形成され、前端側及び後端側を除いて前後方向に亘って矩形状の開口部２１が設けられている。開口部２１の幅方向両端側には、後述するローラ３０の軸方向両端側に設けられた支軸を開口部２１の幅方向一端側及び他端側に回動自在に支持する軸受部２２が幅方向に対向するように設けられるとともに、それぞれ前後方向に複数設けられている。このとき、幅方向に対向するそれぞれの軸受部２２は、図５に示すように、ローラ３０の支軸を載置台本体２０の上部で支持する第１の軸受部２２ａと、ローラ３０の支軸を載置台本体２０の下部で支持する第２の軸受部２２ｂとから構成され、載置台本体２０の幅方向一端側及び他端側のそれぞれ前後方向に第１の軸受部２２ａと第２の軸受部２２ｂが交互に設けられている。また、開口部２１の幅方向一端側及び他端側には前後方向に並ぶ各軸受部２２に亘って軸受部２２の上部を閉塞する閉塞部材２３がそれぞれ設けられている。更に、載置台本体２０の前端側及び後端側には各端部を上方に延出することにより、商品Ａを搬送台２０の前端及び後端側で係止する係止部２４が形成されている。更に、載置台本体２０の幅方向一端側の下端側には隣り合う商品載置台１０と連結する連結突起部２５が前端側及び後端側に設けられ、幅方向他端側には隣り合う商品載置台１０の連結突起部２３と対応する位置に連結凹部２６が設けられている。
【００１９】
各ローラ３０は、商品Ａが載置されるローラ本体３１と、ローラ本体３１を載置台本体２０に回動自在に支持する軸方向一対の支軸３２とからなる。ローラ本体３１は軸方向の長さ寸法が載置台本体２０の開口部２１の幅寸法よりもやや小さく形成され、その両端の中心部から支軸３２がそれぞれ突出するように設けられている。各ローラ３０の両端に設けられた支軸３２は、それぞれ載置台本体２０の第１の軸受部２２ａと第２の軸受部２２ｂに支持されることにより、ローラ３０の軸芯が第１の軸受部２２ａから第２の軸受部２２ｂに向かって下り傾斜をなすように設けられている。また、第１の軸受部２２ａと第２の軸受部２２ｂは前後方向に交互に設けられているので、図６及び図７に示すように、載置台本体２０の前後方向に支持される各ローラ３０の軸芯は載置台本体２０の幅方向一端側または他端側に向かって交互に下り傾斜をなすように設けられている。
【００２０】
前記ショーケースにおいては、図８に示すように、複数の商品載置台１０が互いに幅方向に連結され、ショーケースの棚板６の幅寸法に合わせて棚板６の上面に載置される。商品Ａを収納する場合には、ショーケース本体１の背面側の上部補充用扉２ｃまたは下部補充用扉２ｄを開放し、各商品載置台１０上に商品Ａを載置する。このとき、棚板６は前下りに傾斜しているので、商品載置台１０の後端側に載置された商品Ａは自重及びローラ３０の転動により前方に移動し、商品Ａが順次ショーケース１内に収納される。また、図９に示すように、上部販売用扉２ａまたは下部販売用扉２ｂを開放して最前列の商品Ａを取出すと、図１０及び図１１に示すように、残りの商品Ａは自重及びローラ３０の転動により前方に移動し、図１２に示すように、最前列の商品Ａが係止部２４で係止される。
【００２１】
また、商品載置台１０上の商品Ａには、図１３に示すように、軸芯が載置台本体２０の幅方向一端側に向かって下り傾斜をなすように設けられたローラ３０により幅方向一端側へ移動する力が作用するとともに、軸芯が載置台本体２０の幅方向他端側に向かって下り傾斜をなすように設けられたローラ３０により幅方向他端側に移動する力が作用する。これにより、商品載置台１０上の商品Ａには商品Ａを幅方向中央側に保持しようとする力が作用するため、図１４に示すように、商品Ａは隣り合う商品載置台１０に侵入することなく商品載置台１０上を前方に移動する。
【００２２】
このように、本実施形態の商品載置台によれば、軸方向一端側から他端側に向かって下り傾斜をなすように載置台本体２０に支持されたローラ３０と、軸方向他端側から一端側に向かって下り傾斜をなすように載置台本体２０に支持されたローラ３０とを前後方向に交互に配置したので、各商品載置台１０上に載置された商品Ａを商品載置台１０の幅方向中央側に保持して前方に移動させることができ、各商品載置台１０間に仕切部材を設ける必要がなく商品Ａの補充作業を容易に行うことができる。また、別途仕切部材を設ける必要がないので、部品点数を減らすことができ、製造コストの低減を図ることができる。
【００２３】
尚、前記実施形態では、軸方向一端側から他端側に向かって下り傾斜をなすように載置台本体２０に支持されたローラ３０と、軸方向他端側から一端側に向かって下り傾斜をなすように載置台本体２０に支持されたローラ３０とを前後方向に交互に配置したものを示したが、図１５及び図１６に示すように、軸方向一端側から他端側に向かって外径が小さくなるように形成された第１のローラ４０と、軸方向他端側から一端側に向かって外径が小さくなるように形成された第２のローラ５０とを前後方向に交互に配置してもよい。この場合、前記実施形態と同様に、商品載置台１０上の商品Ａには第１及び第２のローラ４０，５０によってそれぞれ幅方向両側から中央部に向かって移動する力が作用するため、商品Ａは商品載置台１０上から外れることなく前方に移動する。
【００２４】
また、図１７及び図１８に示すように、ローラ６０を軸方向両端側から中心へ向かって外径が小さくなるように形成し、複数のローラ６０を軸芯を水平に載置台本体２０に支持するようにしてもよい。このとき、ローラ６０の外周面に形成される軸方向の形状はＶ字状に形成してもよいし、Ｕ字状に形成してもよい。この場合、商品載置台１０上の商品Ａには商品Ａを幅方向中央側に保持しようとする力が作用するため、商品Ａは隣り合う載置台本体１０に侵入することなく商品載置台１０上を前方に移動する。
【００２５】
また、図１９及び図２０に示すように、各ローラ７０の幅方向両端側に径方向に突出する突出部７１を周方向に亘って設けるようにしてもよい。この場合、商品載置台１０上の商品Ａは、突出部７１によって幅方向の移動がローラ７０の軸方向両端側で規制され、商品載置台１０から外れることなく前方に移動する。
【００２６】
また、前記実施形態では、前後方向にローラ３０が配置された商品載置台１０を幅方向に連結することにより棚板６の上面に載置するものを示したが、例えば棚板６の幅方向の寸法に合わせて複数列のローラ３０が配置された商品載置台を構成してもよい。
【００２７】
また、前記実施形態では、ショーケースの棚板６に載置された商品Ａを前面に搬送するようにしたものを示したが、自動販売機の商品収納棚または搬送用のコンベア等のローラに適用してもよい。
【００２８】
また、前記実施形態では、前下りに傾斜した棚板６に商品載置台１０を配置して商品Ａを自重及びローラ３０の転動により前方に移動させるようにしたものを示したが、図２１に示すように、商品載置台１０を水平面上に配置し、載置台本体２０の長手方向に移動自在に設けられた押出部材８０によってローラ３０上に載置された商品Ａを載置台本体２０の長手方向他端側から一端側に押出すようにしてもよい。
【図面の簡単な説明】
【００２９】
【図１】本発明の一実施形態を示す商品載置台を備えたショーケースの斜視図
【図２】ショーケースの側面断面図
【図３】商品載置台の斜視図
【図４】商品載置台の分解斜視図
【図５】商品載置台の要部分解斜視図
【図６】商品載置台の正面断面図
【図７】商品載置台の要部平面図
【図８】商品載置台が配置された棚板の分解斜視図
【図９】商品の動作を示す側面断面図
【図１０】商品の動作を示す側面断面図
【図１１】商品の動作を示す側面断面図
【図１２】商品の動作を示す側面断面図
【図１３】商品が載置された状態を示す商品載置台の正面断面図
【図１４】商品が載置された状態を示す商品載置台の平面図
【図１５】商品載置台のその他の例を示す正面断面図
【図１６】商品載置台のその他の例を示す要部平面図
【図１７】商品載置台のその他の例を示す正面断面図
【図１８】商品載置台のその他の例を示す要部平面図
【図１９】商品載置台のその他の例を示す正面断面図
【図２０】商品載置台のその他の例を示す要部平面図
【図２１】その他の商品の移動方法を示す商品載置台の側面断面図
【符号の説明】
【００３０】
１０…商品載置台、２０…載置台本体、３０…ローラ、４０…第１のローラ、５０…第２のローラ、６０，７０…ローラ、８０…押出部材、Ａ…商品。
【図１】
2005270419.tif 000003
【図２】
2005270419.tif 000004
【図３】
2005270419.tif 000005
【図４】
2005270419.tif 000006
【図５】
2005270419.tif 000007
【図６】
2005270419.tif 000008
【図７】
2005270419.tif 000009
【図８】
2005270419.tif 000010
【図９】
2005270419.tif 000011
【図１０】
2005270419.tif 000012
【図１１】
2005270419.tif 000013
【図１２】
2005270419.tif 000014
【図１３】
2005270419.tif 000015
【図１４】
2005270419.tif 000016
【図１５】
2005270419.tif 000017
【図１６】
2005270419.tif 000018
【図１７】
2005270419.tif 000019
【図１８】
2005270419.tif 000020
【図１９】
2005270419.tif 000021
【図２０】
2005270419.tif 000022
【図２１】
2005270419.tif 000023